(57)【特許請求の範囲】
【請求項１】
穀粒を受けて移送して排出する固定移送螺旋（７）を内装した固定用移送筒（８）と、該固定用移送筒（８）の外周部へ挿入して伸縮装置（１４）によって伸縮自在に構成した移動用移送筒（１３）と、該移動用移送筒（１３）の前端部の排出筒（３５）とを設け、前記移動用移送筒（１３）と排出筒（３５）とに伸縮自在な移動螺旋軸（９）を内装し、該移動螺旋軸（９）に前・後移動移送螺旋（１１，１０）を軸支すると共に該前・後移動移送螺旋（１１，１０）間に中移動移送螺旋（１２）を伸縮自在に軸支し、前記移動螺旋軸（９）の移送始端部側と中間部と移送終端部とを、固定用移送筒（８）の移送終端に設けた後支持メタル（３０）と排出筒（３５）を形成する後側板（３５ｂ）の近傍に設けた中支持メタル（３５ｄ）と排出筒（３５）を形成する前側板（３５ｃ）に設けた前支持メタル（３５ｅ）との３個所で支持して設けるにあたり、前記中支持メタル（３５ｄ）を排出筒（３５）へ装着するために設ける中支持メタル（３５ｄ）の左右両側の左・右支持アーム（３５ｆ，３５ｈ）の取付孔中心位置（ル，ル）を、該中支持メタル（３５ｄ）の移動螺旋軸（９）を軸支する孔中心位置（ト）よりも上下方向のいずれか一方側へ所定寸法（Ｎ）偏位させて設けたことを特徴とするコンバインの穀粒排出装置。
【発明の詳細な説明】
【０００１】
【発明の属する技術分野】
この発明は、コンバインの穀粒排出装置に関するものである。
【０００２】
【従来の技術】
例えば、コンバインで立毛穀稈の刈取り収穫作業は、このコンバインの前部に設けた刈取機で立毛穀稈は刈取りされ、刈取り穀稈は、この刈取機で後方上部へ移送されて脱穀機へ供給され、この脱穀機内を挟持移送中に脱穀され、脱穀済みで選別済みの穀粒は、この脱穀機の右横側に設けた穀粒貯留タンク内へ供給されて一時貯留される。
【０００３】
前記穀粒貯留タンク内へ貯留した穀粒を機外へ排出するときには、この穀粒貯留タンク内の穀粒は、後側に設けた縦移送筒内へ移送供給され、この縦移送筒から伸縮穀粒排出装置内へ移送供給されるが、この前段で伸縮装置等により、伸縮穀粒排出装置を所定の排出位置へ伸張、左右旋回、及び昇降制御して、所定の排出位置へセットする。
【０００４】
所定の排出位置へセットした伸縮穀粒排出装置の固定用移送筒内へ縦移送筒から穀粒は供給され、この固定用移送筒へ内装した固定移送螺旋で引継ぎ移送され、固定用移送筒の外周部へ収縮自在に挿入した移動用移送筒内へ供給される。この移動用移送筒へ伸縮自在で、固定用移送筒の移送終端部に設けた後支持メタルと、移動用移送筒の前端部に設けた排出筒の前側板に設けた前支持メタルとによって、軸支した移動螺旋軸の移送始端部側へ固定して軸支した後移動移送螺旋と、この後移動移送螺旋へ係合すると共に、複数個が伸縮自在に係合した中移動移送螺旋と、この中移動移送螺旋と係合して、移動螺旋軸の移送終端部側へ軸支して、固定した前移動移送螺旋とにより、順次固定用移送筒の固定移送螺旋から、移動用移送筒内へ供給され、この移動用移送筒内を、後・各中・前移動移送螺旋へと順次引継ぎ移送されて、排出筒内へ移送され、この排出筒の排穀口から機外へ穀粒は排出される。
【０００５】
【発明が解決しようとする課題】
移動用移送筒へ内装した前・後・各中移動移送螺旋を軸支する伸縮移動自在な移動螺旋軸は、固定用移送筒の移送終端部に設けた後支持メタルと、移動用移送筒の先端部に設けた排出筒の前側板に設けた前支持メタルとの２箇所で軸支した２点支持方式によって、支持されていることにより、支持スパンが長く、このために、移動螺旋軸が大きく振れることがあり、この振れが原因で異常音が発生したり、又、移送中の穀粒がたたかれて、脱ぷ粒、及び損傷粒が発生することがあったが、この発明により、これらの問題点を解決しようとするものである。
【０００６】
【課題を解決するための手段】
このために、この発明は、穀粒を受けて移送して排出する固定移送螺旋（７）を内装した固定用移送筒（８）と、該固定用移送筒（８）の外周部へ挿入して伸縮装置（１４）によって伸縮自在に構成した移動用移送筒（１３）と、該移動用移送筒（１３）の前端部の排出筒（３５）とを設け、前記移動用移送筒（１３）と排出筒（３５）とに伸縮自在な移動螺旋軸（９）を内装し、該移動螺旋軸（９）に前・後移動移送螺旋（１１，１０）を軸支すると共に該前・後移動移送螺旋（１１，１０）間に中移動移送螺旋（１２）を伸縮自在に軸支し、前記移動螺旋軸（９）の移送始端部側と中間部と移送終端部とを、固定用移送筒（８）の移送終端に設けた後支持メタル（３０）と排出筒（３５）を形成する後側板（３５ｂ）の近傍に設けた中支持メタル（３５ｄ）と排出筒（３５）を形成する前側板（３５ｃ）に設けた前支持メタル（３５ｅ）との３個所で支持して設けるにあたり、前記中支持メタル（３５ｄ）を排出筒（３５）へ装着するために設ける中支持メタル（３５ｄ）の左右両側の左・右支持アーム（３５ｆ，３５ｈ）の取付孔中心位置（ル，ル）を、該中支持メタル（３５ｄ）の移動螺旋軸（９）を軸支する孔中心位置（ト）よりも上下方向のいずれか一方側へ所定寸法（Ｎ）偏位させて設けたことを特徴とするコンバインの穀粒排出装置としたものである。
【０００７】
コンバインで立毛穀稈の刈取り収穫作業は、このコンバインの前部に設けた刈取機で立毛穀稈は刈取りされ、刈取り穀稈は、この刈取機で後方上部へ移送されて脱穀機へ供給され、この脱穀機内を挟持移送中に脱穀され、脱穀済みで選別済みの穀粒は、この脱穀機の右横側に設けた穀粒貯留タンク内へ供給されて一時貯留される。
【０００８】
前記穀粒貯留タンク内へ貯留した穀粒を機外へ排出するときには、この穀粒貯留タンク内の穀粒は、後側に設けた縦移送筒内へ移送供給され、この縦移送筒から伸縮穀粒排出装置内へ移送供給されるが、この前段で伸縮装置等により、伸縮穀粒排出装置を所定の排出位置へ伸張、左右旋回、及び昇降制御して、所定の排出位置へ移動させてセットする。
【０００９】
所定の排出位置へセットした伸縮穀粒排出装置の固定用移送筒８へ縦移送筒から穀粒は供給され、この固定用移送筒８へ内装した固定移送螺旋７で引継ぎ移送され、固定用移送筒８の外周部へ収縮自在に挿入した移動用移送筒１３内へ供給される。この移動用移送筒１３内へ供給された穀粒は、この移動用移送筒１３内を、後・各中・前移動移送螺旋１０，１２，１１へと順次引継ぎ移送されて、排出筒３５内へ移送され、この排出筒３５の排穀口から機外へ穀粒は排出される。
【００１０】
【００１１】
【００１２】
【００１３】
【００１４】
【００１５】
【００１６】
【発明の効果】
この発明によると、移動螺旋軸９の移送始端部側と中間部と移送終端部側とを後支持メタル３０と中支持メタル３５ｄと前支持メタル３５ｅとで軸支して、３箇所で軸支した３点支持方式としたことにより、支持スパンが短くなり、このために、移動螺旋軸９が大きく振れることがなくなり、異常音の発生を防止できる。又、振れが少なくなったことにより、移送中の穀粒がたたかれることがなくなり、脱ぷ粒、及び損傷粒の発生を防止できる。
また、中支持メタル３５ｄを排出筒３５へ装着するために設けるこの中支持メタル３５ｄの左右両側の左・右支持アーム３５ｆ，３５ｈの取付孔中心位置（ル）を、中支持メタル３５ｄの移動螺旋軸９を軸支する孔中心位置（ト）よりも上下方向いずれか一方側の穀粒排出の抵抗にならない側へ所定寸法（Ｎ）偏位させて設けることにより、中支持メタル３５ｄの左・右支持アーム３５ｆ，３５ｈ部が、穀粒排出の抵抗になることが少なくなり、スムーズに穀粒排出を行うことができる。
【００１７】
【００１８】
【００１９】
【発明の実施の形態】
以下、本発明の一実施例を図面に基づいて説明する。
固定移送螺旋７を内装した固定用移送筒８と、伸縮装置１４で伸縮自在な移動螺旋軸９の前後両側を固定して軸支した前・後移動移送螺旋１１，１０と、これら前・後移動移送螺旋１１，１０間には、これら前・後移動移送螺旋１１，１０に両端部が係合すると共に、複数個の中移動移送螺旋１２が互いに係合して収縮自在に、移動螺旋軸９へ軸支して設け、この移動螺旋軸９は固定用移送筒８の外周部へ伸縮自在に挿入した移動用移送筒１３と、この移動用移送筒１３の前端部に設けた排出筒３５とに、前・後・中支持メタル３５ｅ，３０，３５ｄで軸支内装した構成である。これら固定用移送筒８、及び移動用移送筒１３等よりなる伸縮穀粒排出装置５は、コンバイン１に設けた構成である。この伸縮穀粒排出装置５を主に図示して説明する。
【００２０】
前記コンバイン１の走行車台２の下側には、図２２で示す如く土壌面を走行する左右一対の走行クローラ１５ａを張設した走行装置１５を配設し、走行車台２の上側には、脱穀機３を載置した構成である。走行車台２の前側の刈取機１６で立毛穀稈を刈取りし、この刈取り穀稈はこの刈取機１６で後方上部へ移送され、脱穀機３のフィードチェン３ａと、挟持杆３ｂとで引継ぎされて、挟持移送されながら脱穀される。脱穀済みで選別済みの穀粒は、脱穀機３の右横側に配設した貯留タンク４内へ一時貯留される。
【００２１】
前記走行車台２の前側には、図２２で示す如く前端位置から立毛穀稈を分離するナローガイド１７ａ、及び分草体１７ｂと、立毛穀稈を引起す引起装置１８ａと、引起された穀稈を掻込み移送する穀稈掻込移送装置１９の掻込装置１９ａと、掻込された穀稈を刈取る刈刃装置１８ｂと、刈取りされた穀稈を挟持移送して、脱穀機３のフィードチェン３ａと、挟持杆３ｂとへ受渡しする穀稈掻込移送装置１９の根元・穂先移送装置１９ｂ・１９ｃ等からなる刈取機１６を設けている。該刈取機１６は、油圧駆動による伸縮シリンダ１６ａにより、土壌面に対して、昇降自在に移動する構成である。
【００２２】
前記刈取機１６の前方下部から後方上部へ傾斜する支持杆１６ｃの上端部には、左右方向に支持パイプ杆１６ｄを設け、この支持パイプ杆１６ｄを走行車台２の上側面に設けた支持装置１６ｅで回動自在に支持させて、伸縮シリンダ１６ａの作動により、刈取機１６は支持パイプ杆１６ｄを回動中心として、上下に回動する構成である。
【００２３】
前記脱穀機３側の前部には、図２２で示す如くコンバイン１を始動、停止、及び各部を調節等の操作を行う操作装置２０ａと、これら操作を行う作業者が搭乗する操縦席２０ｂとを設け、この操縦席２０ｂの下側で、走行車台２の上側面には、エンジン２０ｃを載置すると共に、後方部には、穀粒貯留タンク４を配設する。これら走行装置１５と、刈取機１６と、脱穀機３と、エンジン２０ｃ等により、コンバイン１の機体１ａを形成した構成である。
【００２４】
前記刈取機１６の穀稈掻込移送装置１９によって形成される穀稈移送経路中には、刈取られて移送される穀稈に接触作用することにより、脱穀機３へ穀稈の供給の有無を検出する穀稈センサ１６ｂを設けた構成である。
前記走行車台２の前端部に装架した走行用のミッションケース２１ａ内の伝動機構の伝動経路中には、その出力に基づいて、走行車速を検出するポテンションメータ方式の車速センサ２１ｂを設けた構成である。
【００２５】
前記穀粒貯留タンク４内の底部には、貯留穀粒を後方部へ移送する前後移送螺旋４ａを前後方向に設けると共に、後方へ移送される穀粒を引継ぎして、継手ケース６ｂを介して方向変換する排出装置２ａの縦移送螺旋６ａを内装した縦移送筒６を略垂直姿勢で回動可能に、継手ケース６ｂの上側で穀粒貯留タンク４の後側に設けた構成である。
【００２６】
前記縦移送筒６の上端部には、上端部を支点として、その全長がコンバイン１の前後長に亘り伸縮自在、上下回動自在、旋回自在で穀粒を機外へ排出する伸縮穀粒排出装置５を設けた構成である。
前記操作装置２０ａの表面板２０ｄの外側面には、図２０で示す如く伸縮穀粒排出装置５を主として操作する各種スイッチ、及び各種操作レバー等を図示して説明する。伸縮穀粒排出装置５を上下回動、及び左右旋回操作するオーガレバー２２ａと、エンジン２０ｃの動力をこの伸縮穀粒排出装置５へ伝達する籾排出レバー２２ｂとを設け、この籾排出レバー２２ｂを排出位置へ操作すると、穀粒貯留タンク４内の穀粒を機外へ排出できる構成である。
【００２７】
又、前記伸縮穀粒排出装置５等を停止させるときに操作するＯＮ−ＯＦＦスイッチ方式の停止スイッチ２３ａと、旋回させるときに操作するＯＮ−ＯＦＦスイッチ方式の旋回スイッチ２３ｂと、ＯＮ−ＯＦＦスイッチ方式のランプスイッチ２３ｃと、後逑詳細説明する移動用移送筒１３を伸張、又は収縮させるときに操作するＯＮ−ＯＦＦ方式で切換方式の伸縮スイッチ２３ｄとを設けた構成である。
【００２８】
前記オーガレバー２２ａの横側近傍には、伸縮穀粒排出装置５の移動用移送筒１３と、固定用移送筒８との重合部を受けて保持する保持装置２４を設け、この保持装置２４は主柱２４ａの上端部に逆山形状の受板２４ｂを固着して設けた構成である。
【００２９】
前記保持装置２４には、図２２で示す如く移動用移送筒１３の最収縮位置を検出するＯＮ−ＯＦＦスイッチ方式の収納センサ２５を設け、この移動用移送筒１３の最収縮状態を規制する構成である。
前記操作装置２０ａの制御装置２６には、図２１で示す如く各種レバー２２ａ，２２ｂと、各種スイッチ２３ａ，２３ｂ，２３ｃ，２３ｄの操作と、収納センサ２５の検出等が入力回路２６ａからＣＰＵ２６ｂへ入力される構成である。これらの入力に基づいて、該ＣＰＵ２６ｂから出力回路２６ｃを経て、穀粒貯留タンク４内の前後移送螺旋４ａと、縦移送筒６内の縦移送螺旋６ａと、伸縮穀粒排出装置５の固定移送螺旋７と、移動螺旋軸９へ軸支した前・後移動移送螺旋１１，１０、及び各中移動移送螺旋１２等を回転駆動する。又、移動用モータ２８の正・逆回転により、移動用移送筒１３、及び移動螺旋軸９を伸縮制御する構成であり、作業灯２９を点灯する構成である。
【００３０】
前記伸縮穀粒排出装置５は、図１〜図１９、及び図２２で示す如く後支持メタル３０と、引継メタル３３とで装着した固定用移送筒８と、この固定用移送筒８の外周部（ロ）へ挿入して、伸縮自在な移動用移送筒１３と、この移動用移送筒１３を伸縮移動させる収縮装置１４と、移動用移送筒１３の最収縮位置を検出する収納センサ２５等よりなる構成である。
【００３１】
前記固定用移送筒８は、図１０で示す如く固定移送螺旋７を内装して設け、この固定移送螺旋７は固定螺旋軸３１の外周部に固定螺旋プレート３１ａを固着して設けた構成である。固定螺旋軸３１の内径部は丸形状の挿入孔３１ｂを形成し、又、この固定螺旋軸３１の移送終端部の内径の挿入孔３１ｂ部には、この挿入孔３１ｂより小径で後逑する移動螺旋軸９の外周部（イ）を軸支する六角形状の挿入孔３２ａを内径部に設けた補助軸３２を固着して設けた構成である。
【００３２】
前記固定用移送筒８の外周部（ロ）の移送終端部は、図１０、及び図１１で示す如く後支持メタル３０の外ボス３０ａの内径部へ挿入して固着して設け、又、この後支持メタル３０の内ボス３０ｂの内径部に設けたベアリング３０ｃの内径部には、補助軸３２の外径部を挿入して軸支した構成である。固定螺旋軸３１の移送始端の軸端部に設けた後支持軸３１ｃは、縦移送筒６の上端部に設けた引継メタル３３に内装した受メタル３３ａへ挿入して軸支した構成である。
【００３３】
前記後支持メタル３０の外ボス３０ａは、図１０で示す如く円形状に形成し、この外ボス３０ａの外径部と、固定用移送筒８の外周部（ロ）の移送始端部から所定距離位置に固着して設けた筒形状の外メタル３４の外周部とを、移動用移送筒１３の内径部は、詳細を後逑する伸縮装置１４により、前後に摺動移動自在な構成である。
【００３４】
前記移動用移送筒１３内には、図１〜図１１で示す如く外径形状が六角形状で内径が中空形状、又は充実形状の移動螺旋軸９を内装して設け、この移動螺旋軸９の移送始端側の軸端部には、外周部が六角形状の受ブッシュ９ａを挿入して固着した構成である。
【００３５】
前記移動螺旋軸９の軸支は、図１〜図１１で示す如く前後部、及び中間部の３箇所を軸支した構成であり、移動用移送筒１３の前端部に装着した排出筒３５を形成する前側板３５ｃに設けた前支持メタル３５ｅへ挿入して、軸支した構成である。中間部は、排出筒３５を形成する後側板３５ｂの近傍部で、排出筒３５を形成する横側板３５ｊへ装着した中支持メタル３５ｄへ挿入して軸支した構成である。後部は、固定用移送筒８の移送終端部へ固着して設けた後支持メタル３０の補助軸３２の挿入孔３２ａへ挿入して軸支した構成である。移動螺旋軸９は、前支持メタル３５ｅと、中支持メタル３５ｄと、後支持メタル３０とにより、３箇所を軸支した３点支持方式の構成として、支持スパンを短くした構成である。更に移動螺旋軸９の後端部の受ブッシュ９ａの外周部は、固定螺旋軸３１の挿入孔３１ａで軸支した構成である。移動螺旋軸９は、伸縮装置１４により、前後に摺動移動自在な構成である。前支持メタル３５ｅと中支持メタル３５ｄとの間の（Ｋ１）は一定であり、この中支持メタル３５ｄと後支持メタル３０との間の（Ｋ２）は移動螺旋軸９の移動により、変動する構成である。
【００３６】
前記移動螺旋軸９は、前後部、及び中間部の３点を、前・後支持メタル３５ｅ，３０、及び中支持メタル３５ｄで軸支した３点支持方式としたことにより、支持スパンが短くなり、このために、移動螺旋軸９が大きく振れることがなくなり、振れが小さくなったことにより、移動螺旋軸９で軸支して設けた前・後移動移送螺旋１１，１０、及び中移動移送螺旋１２で移動用移送筒１３の内径部を叩くことがなくなり、異常音の発生を防止できる。又、移送中の穀粒が前・後・中移動移送螺旋１１，１０，１２で叩かれることがなくなり、脱ぷ粒、及び損傷粒の発生を防止できる。
【００３７】
前記移動移送螺旋９を軸支する中支持メタル３５ｄの孔中心位置（ト）は、図１、及び図４で示す如く後支持メタル３０、及び前支持メタル３５ｅの移動螺旋軸９を軸支する孔中心位置（チ），（リ）より、左右方向のいずれか一方側の左側、又は右側へ所定寸法（Ｍ）偏位させた構成であり、中支持メタル３５ｄ部では、移動螺旋軸９を一方側の左側、又は右側へ引き寄せて、偏心させた構成である。
【００３８】
前記中支持メタル３５ｄの移動螺旋軸９を軸支する孔中心位置（ト）は、前・後支持メタル３５ｅ，３０の移動螺旋軸９を軸支する孔中心位置（チ），（リ）より、いずれか一方側の左側、又は右側へ所定寸法（Ｍ）偏位させて、この移動螺旋軸９を軸支したことにより、この移動螺旋軸９は左右方向のいずれか一方側へ引き寄せられて、軸支されたこととなり、中支持メタル３５ｄ部では、移動螺旋軸９は偏心して、確実に軸支されたことになって、これにより、異常音の発生防止、及び脱ぷ粒、損傷粒の発生防止を確実に行うことができる。
【００３９】
図１、及び図５で示す如く前記中支持メタル３５ｄを、排出筒の横側板３５ｊへ装着する中支持メタル３５ｄの左右両側の左・右支持アーム３５ｆ，３５ｈの取付孔中心位置（ル），（ル）は、中支持メタル３５ｄの移動螺旋軸９を軸支する孔中心位置（ト）より、上下方向のいずれか一方側の穀粒排出の抵抗にならない側の上側、又は下側へ所定寸法（Ｎ）偏位させて、ボルト等により、左右両側の横側板３５ｊへ締付けて設け、中支持メタル３５ｄで移動螺旋軸９を軸支した構成である。
【００４０】
前記中支持メタル３５ｄの移動螺旋軸９を軸支する孔中心位置（ト）より、この中支持メタル３５ｄを排出筒３５の横側板３５ｊへ装着する左・右支持アーム３５ｆ，３５ｈの取付孔中心位置（ル），（ル）を、穀粒排出の抵抗にならない側のいずれか一方側の上側、又は下側へ所定寸法（Ｎ）偏位させて、この左・右支持アーム３５ｆ，３５ｈの取付孔部をボルト等で排出筒３５の横側板３５ｊへ締付けて、中支持メタル３５ｄを装着したことにより、この中支持メタル３５ｄの左・右支持アーム３５ｆ，３５ｈ部が、穀粒排出の抵抗になることがなく、穀粒をスムーズに機外へ排出することができる。
【００４１】
前記移動用移送筒１３に内装した移動螺旋軸９の移送始端部と、移送終端の近傍部とに軸支した前・後移動移送螺旋１１，１０と、これら前・後移動移送螺旋１１，１０との間で、移動螺旋軸９に軸支した複数個の各中移動移送螺旋１２とを内装して設けた構成である。この各中移動移送螺旋１２は伸縮自在な構成である。
【００４２】
移送始端部の前記後移動移送螺旋１０は、図７〜１１で示す如く補助軸３２の前部側へ挿入して軸支した構成であり、金属製のこの後移動移送螺旋１０は内径形状が丸形状で、外径形状も丸円形状の後固定ボス３６の外周部には、帯状で一端部側が一方側へ突出する結合部３６ｂを設けると共に、この結合部３６ｂ側を外側へ突出させた支持板３６ａを固着して設け、これら支持板３６ａと後固定ボス３６とには、所定長さの移送螺旋プレート３６ｃを固着して設けた構成である。後移動移送螺旋１０の後固定ボス３６を補助軸３２へボルト３６ｄ、又は、頭なしで溝付ネジ３６ｄ等により、この補助軸３２の前部側へ締付けて固定した構成である。移動螺旋軸９と、前移動移送螺旋１１と、各中移動移送螺旋１２とは、前後へ移動自在な構成である。
【００４３】
移送終端部の金属製の前記前移動移送螺旋１１は、図６〜図９、及び図１５で示す如く内径形状が六角形状で外径形状が円形状の前固定ボス３７の外周部には、帯状で一端部側が一方側へ突出する結合部３７ｂを設けると共に、この結合部３７ｂ側を外側へ突出させた支持板３７ａを固着して設け、これら支持板３７ａと前固定ボス３７とには、所定長さの移送螺旋プレート３７ｃを固着して設けた構成である。移動移送螺旋１１の前固定ボス３７を移動螺旋軸９で軸支してボルト３７ｄ、又は頭なしで溝付ネジ３７ｄ等により、この移動螺旋軸９へ締付けて固定した構成である。
【００４４】
移送始端部と移送終端部とに設けた後・前移動移送螺旋１０、１１間に複数個設ける中移動移送螺旋１２は、図１２〜図１９で示す如く耐摩耗性の高い樹脂材等よって、形成してなる内径形状が六角形状で、外径が円形状の中移動ボス３８の外周部には、所定長さの移送螺旋プレート３８ａを、この中移動ボス３８の左右両側に略同じ長さを突出させて設けて、一体に形成した構成である。この移送螺旋プレート３８ａの前後両端部には、結合部３８ｂ，３８ｃを設け、これら各結合部３８ｂ，３８ｃの結合位置は略３６０度毎に位置すべく設けると共に、これら各中移動移送螺旋１２各移送螺旋プレート３８ａの各結合部３８ｂ、３８ｃは、隣接する各移送螺旋プレート３８ａの各結合部３８ｂ、３８ｃと互に結合した構成であり、又、この各移送螺旋プレート３８ａ同士が重合状態で伸縮移動すべく移動螺旋軸９へ挿入して軸支した構成である。中移動ボス３８の左右両側に設けた径大ボス３８ｄ，３８ｄ部には、この各径大ボス３８ｄ内の穀粒を落下させさせて抜取りする穀粒抜孔３８ｅ，３８ｅを設けた構成である。
【００４５】
前記中移動移送螺旋１２の伸張時は、移送始端部側で後端部の中移動移送螺旋１２の後側の結合部３８ｃと、移送始端部の後移動移送螺旋１０の支持板３６ａの結合部３６ｂとが結合する構成である。移送終端部側で、前端部の中移動移送螺旋１２の前側の結合部３８ｂと、移送終端部の前移動移送螺旋１１の支持板３７ａの結合部３７ｂとが結合する構成であると共に、中間部の各中移動移送螺旋１２は、互に前後の結合部３８ｂ，３８ｃが結合する構成である。又、収縮時は各中移動移送螺旋１２の各中移動ボス３８と、後移動移送螺旋１０の後固定ボス３６、及び前移動移送螺旋１１の前固定ボス３７とが、互に当接するまで収縮する構成であると共に、中間部の各中移動移送螺旋１２の各中移動ボス３８は、互に当接するまで収縮する構成である。
【００４６】
前記中移動移送螺旋１２は、図１６、及び図１７で示す如く中移動ボス３８と、この中移動ボス３８の左右両側に設け径大ボス３８ｄ，３８ｄと、この各径大ボス３８ｄ，３８ｄの端部に設けた結合部３８ｂ，３８ｃと、これら中移動ボス３８と、径大ボス３８ｄ，３８ｄとの外周部には、移送螺旋プレート３８ａを設けた構成である。これら中移動ボス３８と、径大ボス３８ｄ，３８ｄと、移送螺旋プレート３８ａとは、耐摩耗性にすぐれると共に、耐久性にすぐれた樹脂材等で一体に形成した構成である。中移動ボス３８、及び径大ボス３８ｄ，３８ｄの外周部と、移送螺旋プレート３８の内径部とは、隙間が発生しない構成である。これら径大ボス３８ｄ，３８ｄの内径部には、隣接の各中間移動移送螺旋１２の各中移送ボス３８が嵌合して、前後へ摺動移動する構成である。
【００４７】
これにより、前記中移動移送螺旋１２の中移動ボス３８、及び径大ボス３８ｄ，３８ｄとの外周部と、この各外周部に設けた移送螺旋プレート３８ａとは、一体に形成したことにより、隙間が発生することがなくなり、このために、移送中の穀粒内へ混入する藁屑等の引掛りがなくなり、又、移送中の穀粒が逃げることがなくなり、穀粒の移送能力の低下を防止することができる。
【００４８】
前記中移動移送螺旋１２の移送螺旋プレート３８ａの両端部には、移送穀粒内へ混入する夾雑物の引掛りを防止すべく、図１６〜図１９で示す如く正面視Ｒ形状（ハ）に形成した構成である。これにより、前記中移動移送螺旋１２の移送螺旋プレート３８ａの両端部を、正面視Ｒ形状（ハ）に形成したことにより、移送中の穀粒内へ混入する藁屑等の引掛りを防止することができると共に、穀粒をこの移送螺旋プレート３８ａで抄くい取るときに、叩かれて発生する脱ぷ粒、及び損傷粒等の発生を防止できる。
【００４９】
前記中移動移送螺旋１２の中移動ボス３８の前後両側に設けた径大ボス３８ｄ，３８ｄの端部には、図１６、及び図１７で示す如く結合部３８ｂ，３８ｃを設けた構成であり、この各中移動移送螺旋１２が最収縮状態に操作されたときは、この中移動移送螺旋１２の中移動ボス３８の両端部へ、隣接した両側の各中移動移送螺旋１２の各中移動ボス３８の一方側の端部が、当接すると最収縮状態になった構成である。
【００５０】
上記の最収縮状態になったときには、図１２で示す如く、前記中移動移送螺旋１２の径大ボス３８ｄ，３８ｄの端部に設けた結合部３８ｂ，３８ｃの側面部と、隣接の各中移動移送螺旋１２の各径大ボス３８ｄ，３８ｄの各肩部（ニ）とには、所定隙間（Ｓ）を有すべく、形成した構成である。
【００５１】
これにより、前記各中移動移送螺旋１２が最収縮したときは、各中移動ボス３８の両端部面が当接して、最収縮状態になると、最収縮は停止するが、このときは、中移動ボス３８の前後両側の径大ボス３８ｄ，３８ｄの端部に設けた結合部３８ｂ，３８ｃの側面部と、隣接の各中移動移送螺旋１２の各径大ボス３８ｄ，３８ｄの肩部（ニ）との間には、所定隙間（Ｓ）を有する状態になることにより、移送中の穀粒は潰されることがなくなり、このために、穀粒の損傷を防止できる。又、この各中移動移送螺旋１２に不必要な負荷、及び過負荷が掛ることがなくなり、これら各中移動移送螺旋１２の摺動移動がスムーズである。
【００５２】
前記各中移動移送螺旋１２を樹脂材で形成したことにより、金属製では構成上実現が困難であった。略３６０度位置で結合部３８ｂ，３８ｃを結合させることができると共に、伸縮移動のときに、これら各中移動移送螺旋１２に掛る摺動抵抗が斜めに加わることがなくなり、このために、移動用移送筒１３と、移動螺旋軸９と、各中移動移送螺旋１２とは、スムーズに伸縮移動する構成である。前・後移動移送螺旋１１，１０の結合部３６ｂ，３７ｂと、各中移動移送螺旋１２の結合部３８ｂ，３８ｃとは、前後方向に略直線上に位置させて設けて、結合させた構成である。
【００５３】
前記移動用移送筒１３の前側の排出筒３５は、図６、及び図１５で示す如く後側板３５ｂと、前側板３５ｃと、Ｕ型形状の左右両側の横側板３５ｊとにより、箱形状に形成し、この箱体の下部には、穀粒を排出する排穀口３５ａを設けた構成である。又、この排出筒３５の前端部には、図６で示す如く作業灯２９を設けた構成である。
【００５４】
前記縦移送筒６から固定用移送筒８内へ供給された穀粒は、固定移送螺旋７、後移動移送螺旋１０、各中移動移送螺旋１２、及び前移動移送螺旋１１で順次移送され、排出筒３５の排穀口３５ａから機外へ排出される構成である。
前記移動用移送筒１３の移送始端部で外周部には、図６で示す如く中心部にネジ孔を設けた移動用支持メタル４１を設けると共に、移送始端部で外周部の３個所には、図１０、及び図１１で示す如くローラ装置４２を設け、このローラ装置４２はローラメタル４２ａに設けた支持板４２ｂには、回転自在にローラ４２ｃを軸支した構成である。この各ローラ４２ｃの外周部は、固定用移送筒８の外周部（ロ）へ当接状態に設けた構成であり、移動用移送筒１３の前後摺動移動により、この各ローラ４２ｃの外周部は、固定用移送筒８の外周部（ロ）へ接触して回転自在に前後へ移動する構成である。
【００５５】
前記伸縮装置１４は、図６で示す如く引継メタル３３の前端部には、逆Ｌ字形状の支持板３９を設け、この支持板３９の基部側に移動用モータ２８を設けると共に、先端部には、受メタル４０を設けた構成である。移動用モータ２８には、外径部に螺旋ネジ４３ａを設けた移送軸４３を設け、この移送軸４３は移動用移送筒１３の外周部に設けた移動用支持メタル４１へ螺挿入すると共に、先端部は受メタル４０で軸支した構成である。４４は円形状の安全カバーである。
【００５６】
前記伸縮穀粒移送装置５の移動用移送筒１３が所定伸張位置、又は最伸張位置から最収縮位置の手前までの間の伸張状態にあるときに、最収縮位置へ操作して、保持装置２４の受板２４ｂで保持状態にするときには、旋回スイッチ２３ｂ、及びオーガレバー２２ａを操作して所定位置（元の位置）へ旋回させると共に、伸縮スイッチ２３ｄを収縮側へ操作することにより、制御装置２６により、移動用モータ２８が逆回転始動制御され、伸縮装置１４が逆回転作動され、移動用移送筒１３は収縮側へ移動制御される構成である。
【００５７】
又、前記伸縮スイッチ２３ｄを伸張側へ操作することにより、制御装置２６により、移動用モータ２８が正回転始動制御され、伸縮装置１４が正回転作動され、移動用移送筒１３は伸張側へ移動制御される構成である。
前記移動用移送筒１３が重合状態で、収縮側の所定位置まで移動制御されると、この移動用移送筒１３の外周部に突出させて設けた検出具１３ａが、保持装置２４の受板２４ｂ部に設けた収納センサ２５へ接触して、この収納センサ２５がＯＮ状態となる。このＯＮ状態に基づいて、制御装置２６により、移動用モータ２８が停止制御されて、伸縮装置１４が停止される。この停止により、移動用移送筒１３が所定の最収縮位置で停止制御される構成である。この最収縮位置は移動用移送筒１３が固定用移送筒８へ完全に重合状態になる手前で停止される構成である。
【００５８】
前記移動用移送筒１３の円周部の３箇所に設けたローラ装置４２のローラ４２ｃが当接する固定用移送筒８には、図１０、及び図１１で示す如く移動用移送筒１３が最伸張時のローラ装置４２のローラ４２ｃが位置する近傍部の外周部（ロ）の３箇所へ軸方向に、所定長さの補強部材８ａを固着して設け、この固定用移送筒８の外周部は、移動用移送筒１３が最伸張時に振れることにより、各ローラ装置４２のローラ４２ｃで叩かれて変形することが発生するが、この変形を防止するために、この各補強部材８ａを固着して設けた構成である。
【００５９】
前記補強部材８ａを固定用移送筒８の外周部の３箇所へ軸方向に設けたことにより、この固定用移送筒８の補強ができると共に、移動用移送筒１３の振れを防止した構成である。
前記移動螺旋軸９を軸支する中支持メタル３５ｄは、図２３〜図２５で示す如く移動螺旋軸９に装着した前移動移送螺旋１１の前端部で、移動用移送筒１３の前側に設けた排出筒３５を形成する後側板３５ｂの前側に設けた構成である。前記中支持メタル３５ｄの左・右支持アーム３５ｆ，３５ｈの取付孔部をボルト等により、排出筒３５の横側板３５ｊへ取付けする。この左・右支持アーム３５ｆ，３５ｈの取付孔中心位置（ル），（ル）は、中支持メタル３５ｄの移動螺旋軸９を軸支する中心位置（ト）より、図２４で示す如く所定寸法（Ｎ）下方へ偏位させて、中支持メタル３５ｄを装着した構成であり、この中支持メタル３５ｄの左・右支持アーム３５ｆ，３５ｈが穀粒排出の抵抗にならない構成としている。
【００６０】
これにより、前記移動螺旋９に固着した前移動移送螺旋１１の前端部で、排出筒３５の後側板３５ｂの前側には、移動螺旋軸９を軸支する中支持メタル３５ｄを設けると共に、この中支持メタル３５ｄの左・右支持アーム３５ｆ，３５ｈの取付孔中心位置（ル），（ル）は、中支持メタル３５ｄの孔中心位置（ト）より、穀粒排出時の抵抗にならない所定寸法（Ｎ）一方側に偏位させて、装着して設けたことにより、中間の支持部は、穀粒を移送排出する移送終端部であることにより、移送終端部の振れを減少させて、異常音の発生防止、損傷粒の発生防止、及び脱ぷ粒の発生防止ができると共に、穀粒排出の抵抗になることが防止でき、スムーズに穀粒の排出を行うことができる。
【００６１】
前記移動螺旋軸９に軸支した前移動移送螺旋１１の前固定ボス３７の前側面と、中支持メタル３５ｄへ挿入したベアリング４６の後側面との間には、図２６〜図２８で示す如く中ボス４５を設けた構成である。この中ボス４５の内径部は、六角形状の移動螺旋軸９の外径部へ挿入すると共に、外径の小外形部は、中支持メタル３５ｄに設けたベアリング４６の内径部へ挿入した構成である。
【００６２】
前記中支持メタル３５ｄの左右両側の左・右支持アーム３５ｆ，３５ｈの取付孔部は、排出筒３５の左右両側の横側板３５ｊの外側面からボルト等で締付けて、この中支持メタル３５ｄを装着すると共に、前移動移送螺旋１１を所定位置へ装着した構成である。又、中ボス４５は前移動移送螺旋１１の前側面と、中支持メタル３５ｄのベアリング４６の後側面との間で支持して設けた構成である。
【００６３】
これにより、前記中ボス４５を設けたことにより、軸受部がシンプルとなった。又、中支持メタル３５ｄが穀粒排出の抵抗になることが少なくなり、スムーズに穀粒の排出を行うことができる。
前記中支持メタル３５ｄの左右両側の左・右支持アーム３５ｆ，３５ｈの取付孔部を、図２９〜図３１で示す如く排出筒３５の左右両側の横側板３５ｊへボルト等により、締付けて装着しているが、この取付孔を長孔３５ｌに形成して設け、中支持メタル３５ｄの取付位置を、所定寸法（Ｌ）を前後に移動調節して装着できる構成である。
【００６４】
これにより、前記中支持メタル３５ｄを前後に調節して装着することができ、これにより、移動螺旋軸９へ軸支する前・後・中移動移送螺旋１１，１０，１２の全長寸法にバラツキがあったときであっても、このバラツキに対応することができて、振動発生の防止、及び異常音の発生の防止を図ることができる。
【図面の簡単な説明】
【図１】移動用移送筒の各支持メタル取付部の一部の断面した拡大側面図
【図２】移動用移送筒の中支持メタル部の拡大正断面図
【図３】移送螺旋軸の各支持メタル取付部の拡大側面図
【図４】移動用移送筒の中支持メタル部の正断面図
【図５】移動用移送筒の中支持メタル部の正断面図
【図６】伸縮穀粒排出装置の拡大側面図
【図７】伸縮穀粒排出装置の最伸張時の側断面図
【図８】伸縮穀粒移送装置の伸張途中時の側断面図
【図９】伸縮穀粒排出装置の最収縮時の側断面図
【図１０】固定用移送筒部と移動用移送筒部との拡大側断面図
【図１１】図１０のＡ−Ａ断面図
【図１２】中間移動移送螺旋の組立拡大側面図
【図１３】中間移動移送螺旋の組立拡大側面図
【図１４】中間移動移送螺旋の組立拡大側面斜視図
【図１５】伸縮穀粒排出装置の一部の拡大側面斜視図
【図１６】中移動移送螺旋の拡大左側面斜視図
【図１７】中移動移送螺旋の拡大右側面斜視図
【図１８】中移動移送螺旋の拡大側面図
【図１９】中移動移送螺旋の拡大背面図
【図２０】操作装置部の拡大背面斜視図
【図２１】ブロック図
【図２２】コンバインの全体側面図
【図２３】他の実施例を示す図で、排出筒の中支持メタル取付部の拡大側断面図
【図２４】他の実施例を示す図で、排出筒の中支持メタルの拡大正断面図
【図２５】他の実施例を示す図で、移動用移送筒の各支持メタル取付部の一部断面した拡大側面図
【図２６】他の実施例を示す図で、排出筒の中支持メタル取付部の拡大側断面図
【図２７】他の実施例を示す図で、排出筒の中支持メタル部の拡大正断面図
【図２８】他の実施例を示す図で、移動用移送筒の各支持メタル取付部の一部断面した拡大側面図
【図２９】他の実施例を示す図で、排出筒の中支持メタル取付部の拡大側断面図
【図３０】他の実施例を示す図で、排出筒の中支持メタル部の拡大正断面図
【図３１】他の実施例を示す図で、移動用移送筒の各支持メタル取付部の一部断面した拡大側面図
【符号の説明】
７    固定移送螺旋
８    固定用移送筒
９    移動螺旋軸
１０    後移動移送螺旋
１１    前移動移送螺旋
１２    中移動移送螺旋
１３    移動用移送筒
１４    伸縮装置
３０    後支持メタル
３５    排出筒
３５ｂ  後側版
３５ｃ  前側板
３５ｄ  中支持メタル
３５ｅ  前支持メタル
３５ｆ  左支持アーム
３５ｈ  右支持アーム
（ト）  孔中心位置
（ル）  取付孔中心位置
（Ｎ）  所定寸法
【図１】
0003849488.tif 000002
【図２】
0003849488.tif 000003
【図３】
0003849488.tif 000004
【図４】
0003849488.tif 000005
【図５】
0003849488.tif 000006
【図６】
0003849488.tif 000007
【図７】
0003849488.tif 000008
【図８】
0003849488.tif 000009
【図９】
0003849488.tif 000010
【図１０】
0003849488.tif 000011
【図１１】
0003849488.tif 000012
【図１２】
0003849488.tif 000013
【図１３】
0003849488.tif 000014
【図１４】
0003849488.tif 000015
【図１５】
0003849488.tif 000016
【図１６】
0003849488.tif 000017
【図１７】
0003849488.tif 000018
【図１８】
0003849488.tif 000019
【図１９】
0003849488.tif 000020
【図２０】
0003849488.tif 000021
【図２１】
0003849488.tif 000022
【図２２】
0003849488.tif 000023
【図２３】
0003849488.tif 000024
【図２４】
0003849488.tif 000025
【図２５】
0003849488.tif 000026
【図２６】
0003849488.tif 000027
【図２７】
0003849488.tif 000028
【図２８】
0003849488.tif 000029
【図２９】
0003849488.tif 000030
【図３０】
0003849488.tif 000031
【図３１】
0003849488.tif 000032